(57)【要約】      （修正有）【課題】小さくも大きくも開口できる開口蓋を備えたスーツケースを提供する。【解決手段】硬質製のスーツケースは丈夫であるが、どんな小さな荷物でも出し入れするときは、横に寝かせて蓋体２を全開しなければならない。本考案は、蓋体２の前面に、蓋体２面の５〜８割の開口部を形成し、スーツケースが縦置き状態のとき該開口部の最下部に下ヒンジ５で連結され、サブファスナ４で開閉される開口蓋３を設けている。この開口蓋３は中央部から上下に外側へ折り曲がり可能に水平な上ヒンジ６を設けている。サブファスナ４を操作して開口蓋３の上側だけを開口したり、開口蓋３全体を開口したりでき、荷物によって開口する大きさを変えることができる。【選択図】図３
0003221718.tif 000002
【実用新案登録請求の範囲】
【請求項１】
硬質製の箱体と蓋体がメインヒンジで連結され、メインファスナで三方が開閉される直方体状のスーツケースにおいて、該メインヒンジは該スーツケースが縦置き状態のとき底部に位置するように設けられ、該蓋体には中央部から上下に外側へ折り曲がり可能に水平なサブヒンジが設けられ、メインファスナの操作で蓋体の上側を開口できるようにしたことを特徴とするスーツケース。
【請求項２】
硬質製の箱体と蓋体がメインヒンジで連結され、レールまたはメインファスナで三方が開閉される直方体状のスーツケースにおいて、該蓋体の前面に、蓋体面の５〜８割の開口部を形成し、該スーツケースが縦置き状態のとき該開口部の最下部に下ヒンジで連結され、サブファスナで開閉される開口蓋を設け、該開口蓋は中央部から上下に外側へ折り曲がり可能に水平な上ヒンジが設けられ、サブファスナで開口蓋の上側だけを開口できるようにしたことを特徴とするスーツケース。
【考案の詳細な説明】
【技術分野】
【０００１】
本考案は、蓋体または蓋体に付設される開口蓋をその上側一部を開口できるようにしたスーツケースに関するものである。
【背景技術】
【０００２】
硬質製のスーツケースは、箱体と蓋体からなり、丈夫にできているが、荷物を出し入れするときは、横に寝かせた状態で蓋体を全開しなければならず、他人にスーツケースの中身をさらしてしまう。また、近年は、ビジネスマンがスーツケースを使用することが多くなり、衣類の他、ノートパソコンやカメラなど出し入れすることが多いものを収納している。
そこで、出願人は、蓋体にファスナーで開口できる副蓋を設けてスーツケースを縦置き状態で小物を出し入れできるようにしたものを開発している（特許文献１参照）。
【先行技術文献】
【特許文献】
【０００３】
【特許文献１】実用新案登録３２１３２５２号公報
【考案の概要】
【考案が解決しようとする課題】
【０００４】
特許文献１のスーツケースは、蓋体の前面に、開口部を形成し、該開口部にファスナーで開閉される開口蓋を設け、小物物品を収納する収納袋を脱着可能に付設している。
これにより、収納袋を装着しているときは、開口蓋を開閉してモバイル機器などの出し入れを簡便に行うことができ、小物の出し入れの必要性がないときは、収納袋を外してスーツケースの収納部を拡くできる。
しかしながら、このスーツケースの開口蓋は、開口できる大きさが一定であるので、出し入れできる荷物は制限されるという問題がある。そこで、もっと種々の大きさの荷物を開口蓋から出し入れできるようにしたものが望まれている。
【０００５】
本考案は、上記の点に鑑み開発されたものであり、スーツケースを縦置きの状態で蓋体または開口蓋を小さくも大きくも開口できるようにして種々の荷物を出し入れできるようにしたスーツケースを提供することを目的としている。
【課題を解決するための手段】
【０００６】
上記の目的を解決するため、請求項１の考案のスーツケースは、次のように構成した。すなわち、硬質製の箱体と蓋体がメインヒンジで連結され、メインファスナで三方が開閉される直方体状のスーツケースにおいて、該メインヒンジは該スーツケースが縦置き状態のとき底部に位置するように設けられ、該蓋体には中央部から上下に外側へ折り曲がり可能に水平なサブヒンジが設けられ、メインファスナの操作で蓋体の上側を開口できるようにしたことを特徴としている。
【０００７】
本考案は、硬質プラスチックやアルミなど硬質な材料で造られた箱体と蓋体からなる直方体状のスーツケースに適用される。
箱体と蓋体はスーツケースを縦置きしたとき、底部に設けたメインヒンジで連結され、合わせ目にメインファスナが設けられ、蓋体の中央部に水平なサブヒンジが設けられている。
このスーツケースは、縦置きの状態として、メインファスナ７のスライダを左右ともサブヒンジまで下方へ移動させれば、蓋体の上部側を外側へ折り曲げることができ、大きく開口できる。
蓋体に設けるメインヒンジおよびサブヒンジは、布、革、合皮、ゴムなど可撓性のあるものであればなんでもよい。
【０００８】
請求項２の考案のスーツケースは、次のように構成した。すなわち、硬質製の箱体と蓋体がメインヒンジで連結され、レールまたはメインファスナで三方が開閉される直方体状のスーツケースにおいて、該蓋体の前面に、蓋体面の５〜８割の開口部を形成し、該スーツケースが縦置き状態のとき該開口部の最下部に下ヒンジで連結され、サブファスナで開閉される開口蓋を設け、該開口蓋は中央部から上下に外側へ折り曲がり可能に水平な上ヒンジが設けられ、サブファスナで開口蓋の上側だけを開口できるようにしたことを特徴としている。
【０００９】
このスーツケースは、蓋体にサブファスナで半分または全体を開口する開口蓋を備えたことを特徴としている。
【００１０】
このスーツケースの箱体と蓋体の連結は、メインファスナまたはレールのいずれでもよい。また、メインヒンジを設ける位置は、請求項１の考案のように、スーツケースを縦置きにした状態で底部にすることに限定されない。上でも側でもよい。
このスーツケースの蓋体には、かなり大きな（蓋体面の５〜８割）開口部を形成し、中央部に水平な上ヒンジを設けた開口蓋を開口部の最下部に下ヒンジで連結しサブファスナを付設している。上ヒンジおよび下ヒンジは、メインヒンジと同じく、布、革、合皮、ゴムなど可撓性のあるものであればなんでもよい。
【考案の効果】
【００１１】
請求項１の２段開口型スーツケースは、蓋体の中央部に外側へ上下に折り曲がる水平な上ヒンジを設けたので、ファスナを上ヒンジの位置まで開放すれば、スーツケースを縦置きの状態で、蓋体の上側を開放させることができる。これにより、例えば、土産物、コート、パソコンなどの荷物を出し入れすることができる。また、スーツケースの開閉はメインファスナのみであるので簡素である。
【００１２】
また、請求項２の２段開口型スーツケースは、蓋体の前面に、蓋体面の５〜８割の開口部を形成し、該開口部に下ヒンジを設けたファスナーで開閉される開口蓋を設け、該開口蓋は外側へ上下に折り曲がる上ヒンジを介してポケット上蓋とポケット下蓋で構成したので、上ヒンジを折り曲げて開口するか、下ヒンジを折り曲げて開口するか適宜選択し、種々の大きさの荷物を出し入れできる。
【図面の簡単な説明】
【００１３】
【図１】請求項１の考案のスーツケースの実施の形態を示す全体斜視図である。
【図２】同、側面図
【図３】請求項２の考案のスーツケースの実施の形態を示す全体斜視図である。
【図４】同、開口蓋の上ヒンジから上の上開口蓋を開口したときの状態を示す斜視図である。
【図５】同、開口蓋全体を開口したときの状態を示す斜視図である。
【図６】同、更に、メインファスナを開口したときの状態を示す斜視図である。
【考案を実施するための形態】
【００１４】
請求項１のスーツケースの実施の形態を、図１および図２に基づいて説明する。
図１は、本考案のスーツケースの全体を示す斜視図で、図２は側面図である。
このスーツケースは、硬質樹脂からなる箱体１と蓋体２がメインヒンジ１２で連結され、下端にキャスター１１を備え、上部にキャリーハンドル９とハンドル１０が設けられている。そして、メインヒンジ１２は、スーツケースを縦置きにしたとき、底面（キャスタ１１がある面）に設けられており、メインファスナ７が左右別々に付設されている。
【００１５】
蓋体２の中央部には、水平方向にサブヒンジ２ｃが設けられている。
これにより、蓋体２は、下蓋体２ａと上蓋体２ｂとに分離され、サブヒンジ２ｃで連結された状態となっている。サブヒンジ２ｃは、ここでは、布製としており、取付部の周囲は縁取り２ｄが施されている。
スーツケースの内部については、従来のスーツケースと変わりなく、図示してないが仕切り膜やクロスバンドなどが設けられている。
【００１６】
請求項１の考案のスーツケースは、このように構成されているので、スーツケースを縦置きの状態として、メインファスナ７のスライダを左右とも下方へ移動させれば、上蓋体２ｂを上部から開放でき、スライダをサブヒンジ２ｃの位置まで開放すれば、上蓋体２ｂを外側へ折り曲げることができ、大きく開放することができる。
【００１７】
次に、請求項２のスーツケースの実施の形態を、図３および図６に基づいて説明する。  なお、図面は、請求項１の実施例の部材と同じものは同じ符号を付している。
図３は、スーツケースの全体を示す斜視図で、硬質樹脂からなる箱体１と蓋体２が縦置き状態で底部に設けたメインヒンジ１２で連結され、下端の四隅にキャスター１１を備え、上部にキャリーハンドル９とハンドル１０が設けられている。なお、図中７は、メインファスナで、１４はメインファスナ７の縁取りである。
【００１８】
蓋体２は前面が大きく開口され、開口蓋３が設けられている。ここでは、開口蓋３は蓋体２の８割ほどの大きさで、上端と幅位置は蓋体２と同じくしている。そして、開口蓋３の下端は蓋体２の下端からは１０〜２０ｍｍ上に位置し、開口蓋３は、最下部に下ヒンジ５が設けられ、サブファスナ４が周設されている。
そして、開口蓋３は中央部に上下外側へ折り曲げ可能に水平な上ヒンジ６が設けられており、下開口蓋３ａと上開口蓋３ｂに分けられている。
なお、下ヒンジ５および上ヒンジ６は、ここでは、布を使用している。また、図中１３，１５は縁取りで、８はファスナロックである。
【００１９】
図４は、サブファスナ４を移動させて開口蓋３の上開口蓋３ｂを開口したときの状態を示す斜視図で、図５は下開口蓋３ａも開口したときの状態を示す斜視図である。
開口蓋３の左右端には、開口蓋３の開口量を所定量に規制するため、脱着可能なステーベルト１９が付設されている。ステーベルト１９の取り付け位置は、下開口蓋３ａの上端付近としている。
【００２０】
開口蓋３の近くには、モバイル機器など小物を収納するための内装ポケット１７が蓋体２に吊持されている。図中、１６はベルトである。
【００２１】
図３のスーツケースは、このように構成されているので、スーツケースを縦置きの状態として、サブファスナ４のスライダを左右とも上ヒンジ６の位置まで下方へ移動させれば、図４に示すように、開口蓋３の上開口蓋３ｂを上ヒンジ６から外側へ倒すことができる。
また、サブファスナ４のスライダを左右とも下ヒンジ５の位置まで下方へ移動させれば、図５に示すように、下開口蓋３ａを含む開口蓋３全体を外側へ倒すことができる。
開口蓋３を開口する大きさは、出し入れする荷物に応じて上開口蓋３ｂだけとするか、開口蓋３全体とするか決めればよい。
【００２２】
図６は、別の実施の形態を示すスーツケースである。
図３〜図５との相違点は、メインヒンジ１２の取り付け位置だけである。
すなわち、図３ではメインヒンジ１２をスーツケースを縦置きとしたとき、底部に設けたが、図６では左側面（隠れて見えない）としている。
図６ではメインファスナ７を開放した状態を示している。
図において、２０は仕切膜で、２１は仕切用ファスナ、２２はスライダ引手である。
【符号の説明】
【００２３】
１  箱体
２  蓋体
２ａ  下蓋体
２ｂ  上蓋体
２ｃ  サブヒンジ
２ｄ  縁取り
３  開口蓋
３ａ  下開口蓋
３ｂ  上開口蓋
４  開口部ファスナ
５  下ヒンジ
６  上ヒンジ
７  メインファスナ
８  ファスナロック
９  キャリーハンドル
１０  ハンドル
１１  キャスタ
１２  メインヒンジ
１３  開口部縁取り
１４  蓋体縁取り
１５  上ヒンジ縁取り
１６  ベルト
１７  内装ポケット
１８  スライダ引手
１９  ステーベルト
２０  仕切膜
２１  仕切用ファスナ
２２  スライダ引手
【図１】
0003221718.tif 000003
【図２】
0003221718.tif 000004
【図３】
0003221718.tif 000005
【図４】
0003221718.tif 000006
【図５】
0003221718.tif 000007
【図６】
0003221718.tif 000008